(57)【要約】【課題】４色以上の光を利用する場合であっても、装置全体のコスト上昇を抑制することを可能とする投写型映像表示装置を提供する。【解決手段】投写型映像表示装置は、液晶パネル５０Ｒと、液晶パネル５０Ｇと、液晶パネル５０Ｂと、クロスダイクロイックプリズム６０と、偏光状態調整素子５１Ｙｅと、制御ユニット２００とを備える。緑成分光Ｇは、黄成分光Ｙｅとともに偏光状態調整素子５１Ｙｅに入射する。偏光状態調整素子５１Ｙｅは、緑成分光Ｇの偏光状態を調整せずに、黄成分光Ｙｅの偏光状態を調整する。制御ユニット２００は、連続する２フレームにおいて、黄成分光Ｙｅの光量の変化量が上限変化量を超えないように、黄成分光Ｙｅの偏光状態の調整量を制御する。【選択図】図４
2010156833.tif 000002
【特許請求の範囲】
【請求項１】
赤入力信号に応じて赤成分光を変調する赤光変調素子と、緑入力信号に応じて緑成分光を変調する緑光変調素子と、青入力信号に応じて青成分光を変調する青光変調素子と、前記赤光変調素子、前記緑光変調素子及び前記青光変調素子から出射された光を合成する色合成部と、第４色成分光の偏光状態を調整する偏光状態調整素子とを備えた投写型映像表示装置であって、
前記偏光状態調整素子による前記第４色成分光の偏光状態の調整量を制御する制御部を備え、
前記赤成分光、前記緑成分光及び前記青成分光のうち、いずれかの色成分光である重畳成分光は、前記第４色成分光とともに前記偏光状態調整素子に入射し、
前記偏光状態調整素子は、前記重畳成分光の偏光状態を調整せずに、前記第４色成分光の偏光状態を調整し、
前記赤入力信号、前記緑入力信号及び前記青入力信号は、複数のフレーム毎の信号であり、
前記制御部は、前記複数のフレームのうち、連続する２フレーム間において、前記色合成部から出射される前記第４色成分光の光量の変化量が上限変化量を超えないように、前記第４色成分光の偏光状態の調整量を制御することを特徴とする投写型映像表示装置。
【請求項２】
前記赤光変調素子、前記緑光変調素子及び前記青光変調素子のうち、前記重畳成分光に対応する光変調素子は、特定光変調素子であり、
前記赤入力信号、前記緑入力信号及び前記青入力信号のうち、前記重畳成分光に対応する入力信号は、特定入力信号であり、
前記重畳成分光及び前記第４色成分光は、前記特定光変調素子に入射し、
前記制御部は、前記連続する２フレームにおける前記特定入力信号に基づいて、前記上限変化量を設定することを特徴とする請求項１に記載の投写型映像表示装置。
【請求項３】
前記制御部は、前記連続する２フレーム間における色差に基づいて、前記上限変化量を設定することを特徴とする請求項１に記載の投写型映像表示装置。
【請求項４】
前記制御部は、前記連続する２フレーム間における輝度、明度、色相又は彩度の変化に基づいて、前記上限変化量を設定することを特徴とする請求項１に記載の投写型映像表示装置。
【請求項５】
前記特定光変調素子は、前記重畳成分光を変調する光変調パネルと、前記光変調パネルの光入射側に設けられた入射側偏光板と、前記光変調パネルの光出射側に設けられた出射側偏光板とを有しており、
前記出射側偏光板には、前記出射側偏光板で遮光を許容する光量である許容遮光光量が定められており、
前記制御部は、前記出射側偏光板で遮光される前記重畳成分光の光量と前記出射側偏光板で遮光される前記第４色成分光の光量との合計量が前記許容遮光光量を超えないように、前記第４色成分光の重畳量を制御することを特徴とする請求項１に記載の投写型映像表示装置。
【発明の詳細な説明】
【技術分野】
【０００１】
本発明は、４色以上の色成分光を利用する投写型映像表示装置に関する。
【背景技術】
【０００２】
従来、３色の色成分光に対応する３つの光変調素子と、３つの光変調素子から出射される光を合成するクロスダイクロイックキューブと、クロスダイクロイックキューブで合成された光を投写する投写手段とを有する投写型映像表示装置が知られている。
【０００３】
ここで、クロスダイクロイックキューブは、光が入射する３つの光入射面と、光が出射する１つの光出射面とを有している。従って、クロスダイクロイックキューブに入射する光が３色の色成分光である場合には、投写型映像表示装置は、一つのクロスダイクロイックキューブを有していれば足りる。
【０００４】
一方で、色再現性や輝度の向上を目的として、４色以上の色成分光を利用する投写型映像表示装置が提案されている。例えば、投写型映像表示装置は、赤成分光、緑成分光及び青成分光に加えて、オレンジ成分光、黄成分光又はシアン成分光を利用することによって、色再現性や輝度の向上を図っている（例えば、特許文献１）。
【特許文献１】特開２００２−２８７２４７号公報
【発明の開示】
【発明が解決しようとする課題】
【０００５】
ここで、投写型映像表示装置が４色以上の色成分光を利用する場合には、一つのクロスダイクロイックキューブで４色以上の色成分光を合成することができない。従って、投写型映像表示装置は、複数のダイクロイックキューブ（又は、クロスダイクロイックキューブ）を有する必要がある。
【０００６】
例えば、４色の色成分光の合成が必要である場合には、投写型映像表示装置は、２色の色成分光が合成された合成光を２つ取得して、２つの合成光をさらに合成することによって、４色の色成分光を含む合成光を取得する。なお、投写型映像表示装置は、３色の色成分光が合成された合成光を取得して、合成光と１色の色成分光とを合成することによって、４色の色成分光を含む合成光を取得してもよい。投写型映像表示装置は、２色の色成分光が合成された合成光を取得して、合成光と２色の色成分光とを合成することによって、４色の色成分光を含む合成光を取得してもよい。
【０００７】
ここで、光変調素子と投写手段との間に、複数のダイクロイックキューブ（又は、クロスダイクロイックキューブ）を設ける必要がある。従って、投写手段のバックフォーカスが長くなる。
【０００８】
この結果、３色の光を利用する投写型映像表示装置で用いられる投写手段を転用することができないため、投写型映像表示装置のコストが全体として上昇してしまう。
【０００９】
そこで、本発明は、上述した課題を解決するためになされたものであり、４色以上の色成分光を利用する場合であっても、装置全体のコスト上昇を抑制することを可能とする投写型映像表示装置を提供することを目的とする。
【課題を解決するための手段】
【００１０】
第１の特徴に係る投写型映像表示装置は、赤入力信号に応じて赤成分光を変調する赤光変調素子（液晶パネル５０Ｒ）と、緑入力信号に応じて緑成分光を変調する緑光変調素子（液晶パネル５０Ｇ）と、青入力信号に応じて青成分光を変調する青光変調素子（液晶パネル５０Ｂ）と、前記赤光変調素子、前記緑光変調素子及び前記青光変調素子から出射された光を合成する色合成部（クロスダイクロイックプリズム６０）と、第４色成分光（例えば、黄成分光Ｙｅ）の偏光状態を調整する偏光状態調整素子（例えば、偏光状態調整素子５１Ｙｅ）とを備える。投写型映像表示装置は、前記偏光状態調整素子による前記第４色成分光の偏光状態の調整量を制御する制御部を備える。前記赤成分光、前記緑成分光及び前記青成分光のうち、いずれかの色成分光である重畳成分光は、前記第４色成分光とともに前記偏光状態調整素子に入射する。前記偏光状態調整素子は、前記重畳成分光の偏光状態を調整せずに、前記第４色成分光の偏光状態を調整する。前記赤入力信号、前記緑入力信号及び前記青入力信号は、複数のフレーム毎の信号である。前記制御部は、前記複数のフレームのうち、連続する２フレーム間において、前記色合成部から出射される前記第４色成分光の光量の変化量が上限変化量を超えないように、前記第４色成分光の偏光状態の調整量を制御する。
【００１１】
第１の特徴において、前記赤光変調素子、前記緑光変調素子及び前記青光変調素子のうち、前記重畳成分光に対応する光変調素子は、特定光変調素子である。前記赤入力信号、前記緑入力信号及び前記青入力信号のうち、前記重畳成分光に対応する入力信号は、特定入力信号である。前記重畳成分光及び前記第４色成分光は、前記特定光変調素子に入射する。前記制御部は、前記連続する２フレームにおける前記特定入力信号に基づいて、前記上限変化量を設定する。
【００１２】
第１の特徴において、前記制御部は、前記連続する２フレーム間における色差に基づいて、前記上限変化量を設定する。
【００１３】
第１の特徴において、前記制御部は、前記連続する２フレーム間における輝度、明度、色相又は彩度の変化に基づいて、前記上限変化量を設定する。
【００１４】
第１の特徴において、前記特定光変調素子は、前記重畳成分光を変調する光変調パネルと、前記光変調パネルの光入射側に設けられた入射側偏光板と、前記光変調パネルの光出射側に設けられた出射側偏光板とを有する。前記出射側偏光板には、前記出射側偏光板で遮光を許容する光量である許容遮光光量が定められている。前記制御部は、前記出射側偏光板で遮光される前記重畳成分光の光量と前記出射側偏光板で遮光される前記第４色成分光の光量との合計量が前記許容遮光光量を超えないように、前記第４色成分光の重畳量を制御する。
【発明の効果】
【００１５】
本発明によれば、４色以上の色成分光を利用する場合であっても、装置全体のコスト上昇を抑制することを可能とする投写型映像表示装置を提供することができる。
【発明を実施するための最良の形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、赤成分光、緑成分光及び青成分光に加えて、第４色成分光を利用する。投写型映像表示装置は、赤入力信号に応じて赤成分光を変調する赤光変調素子と、緑入力信号に応じて緑成分光を変調する緑光変調素子と、青入力信号に応じて青成分光を変調する青光変調素子と、赤光変調素子、緑光変調素子及び青光変調素子から出射された光を合成する色合成部と、第４色成分光の偏光状態を調整する偏光状態調整素子とを備える。
【００１９】
偏光状態調整素子による第４色成分光の偏光状態の調整量を制御する制御部を備え、赤成分光、緑成分光及び青成分光のうち、いずれかの色成分光である重畳成分光は、第４色成分光とともに偏光状態調整素子に入射する。偏光状態調整素子は、重畳成分光の偏光状態を調整せずに、第４色成分光の偏光状態を調整する。赤入力信号、緑入力信号及び青入力信号は、複数のフレーム毎の信号である。
【００２０】
制御部は、複数のフレームのうち、連続する２フレームにおいて、色合成部から出射される第４色成分光の光量の変化量が上限変化量を超えないように、第４色成分光の偏光状態の調整量を制御する。
【００２１】
実施形態では、制御部は、色合成部から出射される第４色成分光（例えば、黄成分光Ｙｅ）の光量の変化量が上限変化量を超えないように、第４色成分光の偏光状態の調整量を制御する。
【００２２】
これによって、連続する２フレーム間において、黄成分光の重畳量が急激に変化することを抑制することができ、視聴者に与える違和感を軽減することができる。
【００２３】
実施形態では、第４色成分光として黄成分光を例示するが、第４色成分光は、これに限定されるものではない。第４色成分光は、マゼンタ成分光又はシアン成分光であってもよい。
【００２４】
実施形態では、重畳成分光として緑成分光を例示するが、重畳成分光は、これに限定されるものではない。重畳成分光は、赤成分光又は青成分光であってもよい。
【００２５】
（実施形態の構成）
以下においては、（１）第１実施形態、（２）変更例１、（３）変更例２、（４）変更例３、（５）変更例４の順に、実施形態を説明する。
【００２６】
（１）第１実施形態については、図１〜図１２を参照しながら、（ａ）投写型映像表示装置の構成、（ｂ）偏光状態調整素子の構成、（ｃ）投写型映像表示装置の機能、（ｄ）作用及び効果、（ｅ）比較結果の順に説明する。
【００２７】
（２）変更例１については、図１３〜図１４を参照しながら、（ａ）投写型映像表示装置の機能、（ｂ）作用及び効果の順に説明する。
【００２８】
（３）変更例２については、図１５〜図１７を参照しながら、（ａ）投写型映像表示装置の機能、（ｂ）作用及び効果の順に説明する。
【００２９】
（３）変更例３については、図１８を参照しながら、（ａ）投写型映像表示装置の機能、（ｂ）作用及び効果の順に説明する。
【００３０】
（３）変更例４については、図１９〜図２１を参照しながら、（ａ）投写型映像表示装置の機能、（ｂ）黄成分光Ｙｅの上限変化量、（ｃ）シアン成分光Ｃｙの上限変化量、（ｄ）作用及び効果の順に説明する。
【００３１】
［第１実施形態］
（投写型映像表示装置の構成）
以下において、第１実施形態に係る投写型映像表示装置について、図面を参照しながら説明する。図１は、第１実施形態に係る投写型映像表示装置１００の構成を示す図である。
【００３２】
図１に示すように、投写型映像表示装置１００は、投写光学系１１０と、照明装置１２０とを有する。投写型映像表示装置１００は、後述するように、赤成分光Ｒ、緑成分光Ｇ及び青成分光Ｂに加えて、黄成分光Ｙｅを利用する。
【００３３】
投写光学系１１０は、照明装置１２０から出射された映像光をスクリーン（不図示）上などに投写する。
【００３４】
第１に、照明装置１２０は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ及び液晶パネル５０Ｂ）と、偏光状態調整素子５１Ｙｅと、クロスダイクロイックプリズム６０とを有する。
【００３５】
光源１０は、白色光を発する光源（例えば、ＵＨＰランプやキセノンランプ）などである。すなわち、光源１０が発する光は、赤成分光Ｒ、緑成分光Ｇ及び青成分光Ｂに加えて、黄成分光Ｙｅを含む。
【００３６】
ＵＶ／ＩＲカットフィルタ２０は、可視光成分（赤成分光Ｒ、緑成分光Ｇ及び青成分光Ｂ）を透過する。ＵＶ／ＩＲカットフィルタ２０は、赤外光成分や紫外光成分を遮光する。
【００３７】
フライアイレンズユニット３０は、光源１０が発する光を均一化する。具体的には、フライアイレンズユニット３０は、フライアイレンズ３１及びフライアイレンズ３２によって構成される。フライアイレンズ３１及びフライアイレンズ３２は、それぞれ、複数の微少レンズによって構成される。各微少レンズは、光源１０が発する光が液晶パネル５０の全面に照射されるように、光源１０が発する光を集光する。
【００３８】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００３９】
液晶パネル５０Ｒは、赤入力信号（後述する赤出力信号Ｒｏｕｔ）に基づいて赤成分光Ｒを変調する。液晶パネル５０Ｒに光が入射する側には、一の偏光方向（例えば、Ｓ偏光）を有する光を透過して、他の偏光方向（例えば、Ｐ偏光）を有する光を遮光する入射側偏光板５２Ｒが設けられている。液晶パネル５０Ｒから光が出射する側には、一の偏光方向（例えば、Ｓ偏光）を有する光を遮光して、他の偏光方向（例えば、Ｐ偏光）を有する光を透過する出射側偏光板５３Ｒが設けられている。
【００４０】
液晶パネル５０Ｇは、緑入力信号（後述する緑出力信号Ｇｏｕｔ）に基づいて緑成分光Ｇを変調する。液晶パネル５０Ｇに光が入射する側には、一の偏光方向（例えば、Ｓ偏光）を有する光を透過して、他の偏光方向（例えば、Ｐ偏光）を有する光を遮光する入射側偏光板５２Ｇが設けられる。一方で、液晶パネル５０Ｇから光が出射する側には、一の偏光方向（例えば、Ｓ偏光）を有する光を遮光して、他の偏光方向（例えば、Ｐ偏光）を有する光を透過する出射側偏光板５３Ｇが設けられる。
【００４１】
液晶パネル５０Ｂは、青入力信号（後述する青出力信号Ｂｏｕｔ）に基づいて青成分光Ｂを変調する。液晶パネル５０Ｂに光が入射する側には、一の偏光方向（例えば、Ｓ偏光）を有する光を透過して、他の偏光方向（例えば、Ｐ偏光）を有する光を遮光する入射側偏光板５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板５３Ｂが設けられる。
【００４２】
ここで、各液晶パネル５０には、コントラスト比や透過率を向上させる補償板（不図示）が設けられていてもよい。また、各偏光板は、偏光板に入射する光の光量や熱負担を軽減させるプリ偏光板を有していてもよい。
【００４３】
偏光状態調整素子５１Ｙｅには、黄成分光Ｙｅとともに緑成分光Ｇが入射する。緑成分光Ｇは、赤成分光Ｒ、緑成分光Ｇ及び青成分光Ｂのうち、黄成分光Ｙｅの補色光（青成分光Ｂ）とは異なる重畳成分光である。すなわち、偏光状態調整素子５１Ｙｅは、緑成分光Ｇの光路上に設けられる。
【００４４】
偏光状態調整素子５１Ｙｅは、重畳成分光（ここでは、緑成分光Ｇ）の偏光状態を調整せずに、黄成分光Ｙｅの偏光状態を調整する。具体的には、偏光状態調整素子５１Ｙｅは、自素子に印加される電圧に応じて、黄成分光Ｙｅの偏光状態を調整する。
【００４５】
例えば、偏光状態調整素子５１Ｙｅは、黄成分光Ｙｅの偏光方向を回転させない状態と、黄成分光Ｙｅの偏光方向を９０°回転させる状態とを選択的に切り替え可能に構成された光学素子である。又は、偏光状態調整素子５１Ｙｅは、０〜９０°の範囲内において、黄成分光Ｙｅの偏光状態を調整する光学素子である。
【００４６】
ここで、偏光状態調整素子５１Ｙｅは、単一の画素を有しており、黄成分光Ｙｅの重畳量をフレームで一律に制御してもよい。また、偏光状態調整素子５１Ｙｅは、複数の画素を有しており、黄成分光Ｙｅの重畳量を画素毎に制御してもよい。なお、偏光状態調整素子５１Ｙｅの画素数は、液晶パネル５０の画素数よりも少ないことが好ましい。
【００４７】
クロスダイクロイックプリズム６０は、液晶パネル５０Ｒ、液晶パネル５０Ｇ及び液晶パネル５０Ｂから出射される光を合成する色合成部を構成する。クロスダイクロイックプリズム６０から出射された合成光は、投写光学系１１０に導かれる。
【００４８】
第２に、照明装置１２０は、ミラー群（ミラー７１〜ミラー７６）及びレンズ群（レンズ８１〜レンズ８５）を有する。
【００４９】
ミラー７１は、青成分光Ｂを透過して、赤成分光Ｒ及び緑成分光Ｇを反射するダイクロイックミラーである。ミラー７２は、赤成分光Ｒを透過して、緑成分光Ｇを反射するダイクロイックミラーである。ミラー７１及びミラー７２は、赤成分光Ｒ、緑成分光Ｇ及び青成分光Ｂを分離する色分離部を構成する。
【００５０】
ミラー７３は、赤成分光Ｒ、緑成分光Ｇ及び青成分光Ｂを反射して、赤成分光Ｒ、緑成分光Ｇ及び青成分光Ｂをミラー７１側に導く。ミラー７４は、青成分光Ｂを反射して、青成分光Ｂを液晶パネル５０Ｂ側に導く。ミラー７５及びミラー７６は、赤成分光Ｒを反射して、赤成分光Ｒを液晶パネル５０Ｒ側に導く。
【００５１】
レンズ８１は、ＰＢＳアレイ４０から出射された光を集光するコンデンサレンズである。レンズ８２は、ミラー７３で反射された光を集光するコンデンサレンズである。
【００５２】
レンズ８３Ｒは、液晶パネル５０Ｒに赤成分光Ｒが照射されるように、赤成分光Ｒを略平行光化する。レンズ８３Ｇは、液晶パネル５０Ｇに緑成分光Ｇが照射されるように、緑成分光Ｇを略平行光化する。レンズ８３Ｂは、液晶パネル５０Ｂに青成分光Ｂが照射されるように、青成分光Ｂを略平行光化する。
【００５３】
レンズ８４及びレンズ８５は、赤成分光Ｒの拡大を抑制しながら、液晶パネル５０Ｒ上に赤成分光Ｒを略結像するリレーレンズである。
【００５４】
（偏光状態調整素子の構成）
以下において、第１実施形態に係る偏光状態調整素子の構成について、図面を参照しながら説明する。図２及び図３は、第１実施形態に係る偏光状態調整素子５１Ｙｅの近傍を示す図である。
【００５５】
図２に示すように、偏光状態調整素子５１Ｙｅは、Ｙｅ−ＯＮ状態において、黄成分光Ｙｅの偏光状態を調整せずに透過する。すなわち、偏光状態調整素子５１Ｙｅの光出射側において、黄成分光Ｙｅの偏光状態は、赤成分光Ｒの偏光状態と同じである。Ｙｅ−ＯＮ状態は、黄成分光Ｙｅを利用する状態である。
【００５６】
図３に示すように、偏光状態調整素子５１Ｙｅは、Ｙｅ−ＯＦＦ状態において、黄成分光Ｙｅの偏光状態を調整して透過する。すなわち、偏光状態調整素子５１Ｙｅの光出射側において、黄成分光Ｙｅの偏光状態は、赤成分光Ｒの偏光状態と異なっている。Ｙｅ−ＯＦＦ状態は、黄成分光Ｙｅを利用しない状態である。なお、Ｙｅ−ＯＦＦ状態では、液晶パネル５０Ｒに設けられた入射側偏光板５２Ｒによって黄成分光Ｙｅが遮光される。
【００５７】
（投写型映像表示装置の機能）
以下において、第１実施形態に係る投写型映像表示装置の機能について、図面を参照しながら説明する。図４は、第１実施形態に係る投写型映像表示装置１００に設けられた制御ユニット２００を示すブロック図である。
【００５８】
ここで、制御ユニット２００は、映像入力信号を映像出力信号に変換する。映像入力信号は、フレーム毎の信号であり、赤入力信号Ｒｉｎ、緑入力信号Ｇｉｎ及び青入力信号Ｂｉｎを含む。映像出力信号は、フレーム毎の信号であり、赤出力信号Ｒｏｕｔ、緑出力信号Ｇｏｕｔ及び青出力信号Ｂｏｕｔを含む。
【００５９】
図４に示すように、制御ユニット２００は、信号受付部２１０と、Ｙｅ重畳量算出部２２０と、Ｙｅ補正部２３０と、ＲＧＢ補正部２４０とを有する。
【００６０】
信号受付部２１０は、ＤＶＤやＴＶチューナなどの外部装置から映像入力信号を受付ける。
【００６１】
Ｙｅ重畳量算出部２２０は、映像入力信号（赤入力信号Ｒｉｎ、緑入力信号Ｇｉｎ及び青入力信号Ｂｉｎ）に基づいて、黄成分光Ｙｅの重畳量を算出する。具体的には、Ｙｅ重畳量算出部２２０は、フレームの彩度及び輝度に基づいて、黄成分光Ｙｅの重畳量を算出する。例えば、Ｙｅ重畳量算出部２２０は、フレームの彩度が低いほど、黄成分光Ｙｅの重畳量を増大する。また、Ｙｅ重畳量算出部２２０は、フレームの輝度が高いほど、黄成分光Ｙｅの重畳量を増大する。
【００６２】
第１例として、図５及び図６に示す係数（彩度係数αｙ及び輝度係数βｙ）について例示する。図５及び図６では、フレームの色相がオレンジであるケース、例えば、Ｒ：Ｇ＝０．７５：０．２５であるケースにおける各係数が例示されている。
【００６３】
彩度係数αｙは、図５に示すように、最小値（例えば、“０．４”）〜最大値（例えば、“１”）の範囲である。彩度係数αｙは、例えば、彩度が“０”〜“０．５”の範囲において、最大値で一定である。彩度係数αｙは、例えば、彩度が“０．５”以上の範囲において、彩度が高くなるほど減少する。
【００６４】
輝度係数βｙは、図６に示すように、最小値（例えば、“０．３”）〜最大値（例えば、“１”）の範囲である。輝度係数βｙは、例えば、輝度が高くなるほど増大する。
【００６５】
第２として、図７及び図８に示す係数（彩度係数αｙ及び輝度係数βｙ）について例示する。図７及び図８では、フレームの色相がシアンであるケース、例えば、Ｇ：Ｂ＝０．５：０．５であるケースにおける各係数が例示されている。
【００６６】
彩度係数αｙは、図７に示すように、最小値（例えば、“０”）〜最大値（例えば、“１”）の範囲である。彩度係数αｙは、例えば、彩度が“０”〜“０．５”の範囲において、最大値で一定である。彩度係数αｙは、例えば、彩度が“０．５”〜“０．６”の範囲において、彩度が高くなるほど減少する。彩度係数αｙは、例えば、彩度が“０．６”以上の範囲において、最小値で一定である。
【００６７】
輝度係数βｙは、図８に示すように、最小値（例えば、“０”）〜最大値（例えば、“１”）の範囲である。輝度係数βｙは、例えば、輝度が“０”〜“０．７”の範囲において、最小値で一定である。輝度係数βｙは、例えば、輝度が“０．７”以上の範囲において、輝度が高くなるほど増大する。
【００６８】
Ｙｅ重畳量算出部２２０は、重畳量（係数）＝αｙ×βｙに従って、黄成分光Ｙｅの重畳量を算出する。すなわち、フレームの色相がホワイトポイントに近いほど、黄成分光Ｙｅの重畳量が増大する。
【００６９】
Ｙｅ補正部２３０は、Ｙｅ重畳量算出部２２０によって算出された黄成分光Ｙｅの重畳量に基づいて、黄成分光Ｙｅの偏光状態の調整量を制御する。すなわち、Ｙｅ補正部２３０は、黄成分光Ｙｅの重畳量（係数）に基づいて、黄出力信号Ｙｅｏｕｔを算出する。例えば、Ｙｅ補正部２３０は、Ｙｅｏｕｔ＝αｙ×βｙ×ＳｉｇＭＡＸに従って、黄出力信号Ｙｅｏｕｔを算出する。
【００７０】
なお、Ｙｅ補正部２３０は、黄出力信号Ｙｅｏｕｔを偏光状態調整素子５１Ｙｅに出力し、黄成分光Ｙｅの偏光状態の調整量を黄出力信号Ｙｅｏｕｔによって制御することに留意すべきである。
【００７１】
具体的には、Ｙｅ補正部２３０は、クロスダイクロイックプリズム６０から出射される黄成分光Ｙｅの光量の変化量が上限変化量を超えないように、黄成分光Ｙｅの偏光状態の調整量を制御する。すなわち、Ｙｅ補正部２３０は、黄成分光Ｙｅの光量の変化量が上限変化量を超えないように、黄出力信号Ｙｅｏｕｔを算出する。
【００７２】
第１例として、Ｙｅ補正部２３０は、上限変化量を定数として設定する。例えば、ｎ番目のフレームとｎ＋１番目のフレームとの間において、上限変化量を５％に設定する。
【００７３】
第２例として、Ｙｅ補正部２３０は、連続する２フレームにおける緑入力信号Ｇｉｎに基づいて、上限変化量を設定する。具体的には、Ｙｅ補正部２３０は、ｎ番目のフレームの緑入力信号Ｇｉｎの代表値及びｎ＋１番目のフレームの緑入力信号Ｇｉｎの代表値を特定する。すなわち、Ｙｅ補正部２３０は、連続する２フレームのそれぞれにおける緑入力信号Ｇｉｎの代表値を特定する。続いて、Ｙｅ補正部２３０は、特定された代表値のうち、小さい方の代表値を上限変化量係数として取得する。
【００７４】
Ｙｅ補正部２３０は、図９に示すように、上限変化量係数が小さいほど、上限変化量を増大する。なお、図９では、横軸は、上限変化量係数を示しており、縦軸は、黄成分光Ｙｅの上限変化量を示している。
【００７５】
なお、緑入力信号Ｇｉｎの代表値としては、以下に示す値を用いることができる。
【００７６】
（１）  連続する２フレームのそれぞれにおける緑入力信号Ｇｉｎの最大値
（２）  連続する２フレームのそれぞれにおける緑入力信号Ｇｉｎの平均値
（３）  連続する２フレームのそれぞれにおける緑入力信号Ｇｉｎの分散値
ＲＧＢ補正部２４０は、映像入力信号（赤入力信号Ｒｉｎ、緑入力信号Ｇｉｎ及び青入力信号Ｂｉｎ）に基づいて、映像出力信号（赤出力信号Ｒｏｕｔ、緑出力信号Ｇｏｕｔ及び青出力信号Ｂｏｕｔ）を算出する。具体的には、ＲＧＢ補正部２４０は、黄出力信号Ｙｅｏｕｔに基づいて、赤出力信号Ｒｏｕｔ、緑出力信号Ｇｏｕｔ及び青出力信号Ｂｏｕｔを算出する。
【００７７】
例えば、ＲＧＢ補正部２４０は、黄出力信号Ｙｅｏｕｔに基づいて、赤入力信号Ｒｉｎ及び緑入力信号Ｇｉｎから所定値を減算して、赤出力信号Ｒｏｕｔ及び緑出力信号Ｇｏｕｔを算出する。又は、ＲＧＢ補正部２４０は、黄出力信号Ｙｅｏｕｔに基づいて、青入力信号Ｂｉｎに所定値を加算して、青出力信号Ｂｏｕｔを算出する。赤入力信号Ｒｉｎ及び緑入力信号Ｇｉｎの減算処理や青入力信号Ｂｉｎの加算処理によって、黄成分光Ｙｅの重畳に伴って生じる“色ずれ”を抑制する。
【００７８】
（作用及び効果）
第１実施形態では、Ｙｅ補正部２３０は、クロスダイクロイックプリズム６０から出射される黄成分光Ｙｅの光量の変化量が上限変化量を超えないように、黄成分光Ｙｅの偏光状態の調整量を制御する。すなわち、Ｙｅ補正部２３０は、黄成分光Ｙｅの光量の変化量が上限変化量を超えないように、黄出力信号Ｙｅｏｕｔを算出する。
【００７９】
第１実施形態では、上限変化量は、定数であってもよく、上限変化量係数に基づいて設定されてもよい。
【００８０】
これによって、連続する２フレーム間において、黄成分光Ｙｅの重畳量が急激に変化することを抑制することができ、視聴者に与える違和感を軽減することができる。
【００８１】
（比較結果）
以下において、比較例と実施例との比較結果について説明する。比較例では、上限変化量が設けられていない。実施例１では、上限変化量が定数（ここでは、５％）である。実施例２では、上限変化量が緑入力信号Ｇｉｎの変化に基づいて設定される。
【００８２】
図１０に示すように、比較例では、１フレームと２フレームとの間において、黄成分光Ｙｅの光量の変化量が６０％である。同様に、２フレームと３フレームとの間において、黄成分光Ｙｅの光量の変化量が６０％である。従って、視聴者は、２フレーム目の映像を黄色っぽい映像と認識してしまう。一方で、視聴者は、３フレーム目の映像を黄色が不足した映像と認識してしまう。このように、視聴者に違和感を与えてしまう。
【００８３】
図１１に示すように、実施例１では、１フレームと２フレームとの間において、黄成分光Ｙｅの光量の変化量が上限変化量（５％）に抑制される。同様に、２フレームと３フレームとの間において、黄成分光Ｙｅの光量の変化量が上限変化量（５％）に抑制される。このように、実施例１では、比較例で生じた違和感が軽減される。
【００８４】
一方で、実施例１では、４フレームと５フレームとの間においても、黄成分光Ｙｅの光量の変化量が上限変化量（５％）に抑制される。従って、５フレーム目の映像において、黄成分光Ｙｅの光量が不足するため、視聴者に違和感を与えてしまう。すなわち、視聴者は、５フレーム目の映像を黄色が不足した映像と認識してしまう。
【００８５】
図１２に示すように、実施例２では、１フレームと２フレームとの間において、緑入力信号Ｇｉｎの変化量が小さいため、上限変化量として小さな値（ここでは、５％）が設定される。すなわち、黄成分光Ｙｅの光量の変化量が５％に抑制される。同様に、２フレームと３フレームとの間において、緑入力信号Ｇｉｎの変化量が小さいため、上限変化量として小さな値（ここでは、５％）が設定される。すなわち、黄成分光Ｙｅの光量の変化量が５％に抑制される。このように、実施例２では、比較例で生じた違和感が軽減される。
【００８６】
一方で、実施例２では、４フレームと５フレームとの間において、緑入力信号Ｇｉｎの変化量が大きいため、上限変化量として大きな値（ここでは、１００％）が設定される。すなわち、黄成分光Ｙｅの光量の変化量が１００％である。同様に、５フレームと６フレームとの間において、緑入力信号Ｇｉｎの変化量が大きいため、上限変化量として大きな値（ここでは、１００％）が設定される。すなわち、黄成分光Ｙｅの光量の変化量が１００％である。このように、実施例２では、実施例１で生じた違和感も軽減される。
【００８７】
［変更例１］
以下において、第１実施形態の変更例１について、図面を参照しながら説明する。以下においては、第１実施形態との相違点について主として説明する。
【００８８】
具体的には、第１実施形態では、黄成分光Ｙｅの上限変化量は、上限変化量係数に基づいて設定される。これに対して、変更例１では、連続する２フレーム間における色差に基づいて設定される。
【００８９】
（投写型映像表示装置の機能）
以下において、変更例１に係る投写型映像表示装置の機能について、図面を参照しながら説明する。図１３は、変更例１に係る投写型映像表示装置１００に設けられた制御ユニット２００を示すブロック図である。図１３では、図４と同様の構成について、同様の符号を付していることに留意すべきである。
【００９０】
制御ユニット２００は、図４に示した構成に加えて、色差算出部２５０を有する。色差算出部２５０は、映像入力信号（赤入力信号Ｒｉｎ、緑入力信号Ｇｉｎ及び青入力信号Ｂｉｎ）に基づいて、フレームを構成する画素毎に色差（ΔＥ）を算出する。
【００９１】
第１に、色差算出部２５０は、ＲＧＢ色空間をＬａｂ色空間に変換する。例えば、色差算出部２５０は、以下の式に従って、ＲＧＢ色空間をＬａｂ色空間に変換する。
【数１】
2010156833.tif 000003
【００９２】
第２に、色差算出部２５０は、ｎ番目のフレームとｎ＋１番目のフレームとの間の色差（ΔＥ）を算出する。具体的には、色差算出部２５０は、以下の式に従って、色差（ΔＥ）を算出する。
【数２】
2010156833.tif 000004
【００９３】
なお、Ｌｎ,ａｎ，ｂｎは、ｎ番目のフレームで重畳された黄成分光Ｙｅを考慮した値であることに留意すべきである。同様に、Ｌｎ＋１,ａｎ＋１，ｂｎ＋１は、ｎ＋１番目のフレームで重畳された黄成分光Ｙｅを考慮した値であることに留意すべきである。
【００９４】
上述したＹｅ補正部２３０は、連続する２フレーム間における色差の代表値に基づいて、上限変化量を設定する。具体的には、Ｙｅ補正部２３０は、ｎ番目のフレームとｎ＋１番目のフレームとの間において、色差（ΔＥ）の代表値を上限変化量係数として取得する。
【００９５】
Ｙｅ補正部２３０は、上限変化量係数が小さいほど、上限変化量を増大する。なお、図１４では、横軸は、上限変化量係数を示しており、縦軸は、黄成分光Ｙｅの上限変化量を示している。
【００９６】
ここで、色差（ΔＥ）の代表値としては、以下に示す値を用いることができる。
【００９７】
（１）  連続する２フレーム間における色差（ΔＥ）の最大値
（２）  連続する２フレーム間における色差（ΔＥ）の平均値
（３）  連続する２フレーム間における色差（ΔＥ）の分散値
ここで、ｎ番目のフレームにおいては、最大色差を構成する画素の座標が特定される。従って、色差（ΔＥ）の算出に用いる画素は、１画素であってもよい。
【００９８】
（作用及び効果）
変更例１では、上限変化量は、連続する２フレーム間における色差に基づいて設定される。従って、黄成分光Ｙｅの重畳に伴う輝度の変化や色相の変化の予測が可能となる。これによって、連続する２フレーム間において、黄成分光Ｙｅの重畳量が急激に変化することを抑制しながら、視聴者に与える違和感を効果的に軽減することができる。
【００９９】
［変更例２］
以下において、第１実施形態の変更例２について、図面を参照しながら説明する。以下においては、第１実施形態との相違点について主として説明する。
【０１００】
具体的には、第１実施形態では、黄成分光Ｙｅの上限変化量は、連続する２フレーム間における緑入力信号Ｇｉｎの変化に基づいて設定される。これに対して、変更例２では、連続する２フレーム間における輝度、明度、色相又は彩度の変化に基づいて設定される。
【０１０１】
（投写型映像表示装置の機能）
以下において、変更例２に係る投写型映像表示装置の機能について、図面を参照しながら説明する。図１５は、変更例２に係る投写型映像表示装置１００に設けられた制御ユニット２００を示すブロック図である。図１５では、図４と同様の構成について、同様の符号を付していることに留意すべきである。
【０１０２】
制御ユニット２００は、図４に示した構成に加えて、ＹＵＶ変換部２６０と、成分解析部２７０を有する。
【０１０３】
ＹＵＶ変換部２６０は、映像入力信号（赤入力信号Ｒｉｎ、緑入力信号Ｇｉｎ及び青入力信号Ｂｉｎ）に基づいて、フレームを構成する画素毎に、輝度成分Ｙ、色相成分Ｈ及び彩度成分Ｓを算出する。
【０１０４】
第１に、ＹＵＶ変換部２６０は、ＲＧＢ色空間をＹＵＶ色空間に変換する。例えば、ＹＵＶ変換部２６０は、以下の式に従って、ＲＧＢ色空間をＹＵＶ色空間に変換する。
【数３】
2010156833.tif 000005
【０１０５】
第２に、ＹＵＶ変換部２６０は、ＹＵＶ色空間に変換された値を用いて、輝度成分Ｙ、色相成分Ｈ及び彩度成分Ｓを算出する。
【数４】
2010156833.tif 000006
【０１０６】
成分解析部２７０は、輝度成分Ｙ、色相成分Ｈ及び彩度成分Ｓを解析する。具体的には、成分解析部２７０は、連続する２フレーム間における各成分の平均値の平均値差分（ＣＯＥＦａｖｅ）、連続する２フレーム間における各成分の分散値の分散値差分（ＣＯＥＦｖａｒ）を算出する。
【０１０７】
上述したＹｅ補正部２３０は、成分解析部２７０によって算出された平均値差分（ＣＯＥＦａｖｅ）に基づいて、上限変化量を設定する。具体的には、Ｙｅ補正部２３０は、図１６に示すように、ｎ番目のフレームとｎ＋１番目のフレームとの間において、平均値差分（ＣＯＥＦａｖｅ）が大きいほど、上限変化量を増大する。なお、図１６では、横軸は、連続する２フレーム間における平均値差分（ＣＯＥＦａｖｅ）を示しており、縦軸は、黄成分光Ｙｅの上限変化量を示している。
【０１０８】
又は、Ｙｅ補正部２３０は、成分解析部２７０によって算出された分散値差分（ＣＯＥＦｖａｒ）に基づいて、上限変化量を設定する。具体的には、Ｙｅ補正部２３０は、図１７に示すように、ｎ番目のフレームとｎ＋１番目のフレームとの間において、分散値差分（ＣＯＥＦｖａｒ）が大きいほど、上限変化量を増大する。なお、図１７では、横軸は、連続する２フレーム間における分散値差分（ＣＯＥＦｖａｒ）を示しており、縦軸は、黄成分光Ｙｅの上限変化量を示している。
【０１０９】
例えば、Ｙｅ補正部２３０は、以下に示す３つの値のいずれかを用いて、上限変化量を設定する。
【数５】
2010156833.tif 000007
【０１１０】
なお、ＣＯＥＦａｖｅＹは、輝度成分Ｙの平均値差分であり、ＣＯＥＦｖａｒＹは、輝度成分Ｙの分散値差分である。同様に、ＣＯＥＦａｖｅＨは、色相成分Ｈの平均値差分であり、ＣＯＥＦｖａｒＨは、色相成分Ｈの分散値差分である。ＣＯＥＦａｖｅＳは、彩度成分Ｓの平均値差分であり、ＣＯＥＦｖａｒＳは、彩度成分Ｓの分散値差分である。
【０１１１】
なお、Ｙｅ補正部２３０は、ＣＯＥＦａｖｅＹ、ＣＯＥＦｖａｒＹ、ＣＯＥＦａｖｅＨ、ＣＯＥＦｖａｒＨ、ＣＯＥＦａｖｅＳ及びＣＯＥＦｖａｒＳの中から選択された１つの値に基づいて、上限変化量を設定してもよい。
【０１１２】
又は、Ｙｅ補正部２３０は、ＣＯＥＦａｖｅＹ、ＣＯＥＦｖａｒＹ、ＣＯＥＦａｖｅＨ、ＣＯＥＦｖａｒＨ、ＣＯＥＦａｖｅＳ及びＣＯＥＦｖａｒＳの中から選択された２以上の値に基づいて、上限変化量を設定してもよい。
【０１１３】
（作用及び効果）
変更例２では、上限変化量は、連続する２フレーム間における輝度成分、色相成分又は彩度成分の変化に基づいて設定される。従って、連続する２フレーム間で生じるシーンチェンジの予測が可能となる。これによって、連続する２フレーム間において、黄成分光Ｙｅの重畳量が急激に変化することを抑制しながら、視聴者に与える違和感を効果的に軽減することができる。
【０１１４】
［変更例３］
以下において、第１実施形態の変更例３について、図面を参照しながら説明する。以下においては、第１実施形態との相違点について主として説明する。
【０１１５】
具体的には、第１実施形態では、黄成分光Ｙｅの重畳量は、黄成分光Ｙｅの上限変化量を超えないように制御される。これに対して、変更例３では、黄成分光Ｙｅの重畳量は、特定光変調素子の光出射側に設けられた出射側偏光板で遮光される重畳成分光及び黄成分光Ｙｅの合計が許容遮光光量を超えないように制御される。
【０１１６】
なお、変更例３では、第１実施形態と同様に、重畳成分光は、緑成分光Ｇであり、特定光変調素子は、液晶パネル５０Ｇである。
【０１１７】
（投写型映像表示装置の機能）
以下において、変更例３に係る投写型映像表示装置の機能について、図面を参照しながら説明する。図１８は、変更例３に係る投写型映像表示装置１００に設けられた制御ユニット２００を示すブロック図である。図１８では、図４と同様の構成について、同様の符号を付していることに留意すべきである。
【０１１８】
制御ユニット２００は、図４に示した構成に加えて、偏光板負荷算出部２８０を有する。第１に、偏光板負荷算出部２８０は、緑入力信号Ｇｉｎに基づいて、液晶パネル５０Ｇの光出射側に設けられた出射側偏光板５３Ｇで遮光される緑成分光Ｇの光量を算出する。第２に、偏光板負荷算出部２８０は、出射側偏光板５３Ｇで遮光される緑成分光Ｇの光量と出射側偏光板５３Ｇの許容遮光光量との差分を算出する。第３に、偏光板負荷算出部２８０は、算出された差分を超えないように、黄成分光Ｙｅの重畳量の上限（ＭＡＸ）を設定する。
【０１１９】
上述したＹｅ補正部２３０は、第１実施形態と同様に、クロスダイクロイックプリズム６０から出射される黄成分光Ｙｅの光量の変化量が上限変化量を超えないように、黄成分光Ｙｅの偏光状態の調整量を制御する。すなわち、Ｙｅ補正部２３０は、黄成分光Ｙｅの光量の変化量が上限変化量を超えないように、黄出力信号Ｙｅｏｕｔを算出する。
【０１２０】
これに加えて、Ｙｅ補正部２３０は、出射側偏光板５３Ｇで遮光される黄成分光Ｙｅの光量が黄成分光Ｙｅの重畳量の上限（ＭＡＸ）を超えないように、黄成分光Ｙｅの偏光状態の調整量を制御する。すなわち、Ｙｅ補正部２３０は、黄成分光Ｙｅの重畳量が上限（ＭＡＸ）を超えないように、黄出力信号Ｙｅｏｕｔを算出する。
【０１２１】
（作用及び効果）
変更例３では、黄成分光Ｙｅの重畳量は、液晶パネル５０Ｇの光出射側に設けられた出射側偏光板５３Ｇで遮光される緑成分光Ｇ及び黄成分光Ｙｅの合計が許容遮光光量を超えないように制御される。従って、出射側偏光板５３Ｇの劣化を抑制することができる。
【０１２２】
［変更例４］
以下において、第１実施形態の変更例４について、図面を参照しながら説明する。以下においては、第１実施形態との相違点について主として説明する。
【０１２３】
具体的には、第１実施形態では、投写型映像表示装置１００は、赤成分光Ｒ、緑成分光Ｇ及び青成分光Ｂに加えて、黄成分光Ｙｅを利用する。これに対して、投写型映像表示装置１００は、赤成分光Ｒ、緑成分光Ｇ及び青成分光Ｂに加えて、黄成分光Ｙｅ及び及びシアン成分光Ｃｙを利用する。
【０１２４】
（投写型映像表示装置の構成）
以下において、変更例４に係る投写型映像表示装置について、図面を参照しながら説明する。図１９は、変更例４に係る投写型映像表示装置１００の構成を示す図である。図１９では、図１と同様の構成について、同様の符号を付している。
【０１２５】
図１９に示すように、投写型映像表示装置１００は、第１実施形態と同様に、投写光学系１１０と、照明装置１２０とを有する。投写型映像表示装置１００は、赤成分光Ｒ、緑成分光Ｇ及び青成分光Ｂに加えて、黄成分光Ｙｅ及びシアン成分光Ｃｙを利用する。
【０１２６】
照明装置１２０は、偏光状態調整素子５１Ｙｅに代えて、偏光状態調整素子５１ＲＹｅ及び偏光状態調整素子５１ＧＣｙを有する。
【０１２７】
偏光状態調整素子５１ＲＹｅには、黄成分光Ｙｅとともに赤成分光Ｒが入射する。赤成分光Ｒは、赤成分光Ｒ、緑成分光Ｇ及び青成分光Ｂのうち、黄成分光Ｙｅの補色光（青成分光Ｂ）とは異なる重畳成分光である。すなわち、偏光状態調整素子５１ＲＹｅは、赤成分光Ｒの光路上に設けられる。
【０１２８】
偏光状態調整素子５１ＲＹｅは、重畳成分光（ここでは、赤成分光Ｒ）の偏光状態を調整せずに、黄成分光Ｙｅの偏光状態を調整する。具体的には、偏光状態調整素子５１ＲＹｅは、自素子に印加される電圧に応じて、黄成分光Ｙｅの偏光状態を調整する。
【０１２９】
例えば、偏光状態調整素子５１ＲＹｅは、黄成分光Ｙｅの偏光方向を回転させない状態と、黄成分光Ｙｅの偏光方向を９０°回転させる状態とを選択的に切り替え可能に構成された光学素子である。又は、偏光状態調整素子５１ＲＹｅは、０〜９０°の範囲内において、黄成分光Ｙｅの偏光状態を調整する光学素子である。
【０１３０】
偏光状態調整素子５１ＧＣｙには、シアン成分光Ｃｙとともに緑成分光Ｇが入射する。緑成分光Ｇは、赤成分光Ｒ、緑成分光Ｇ及び青成分光Ｂのうち、シアン成分光Ｃｙの補色光（赤成分光Ｒ）とは異なる重畳成分光である。すなわち、偏光状態調整素子５１ＧＣｙは、緑成分光Ｇの光路上に設けられる。
【０１３１】
偏光状態調整素子５１ＧＣｙは、重畳成分光（ここでは、緑成分光Ｇ）の偏光状態を調整せずに、シアン成分光Ｃｙの偏光状態を調整する。具体的には、偏光状態調整素子５１ＧＣｙは、自素子に印加される電圧に応じて、シアン成分光Ｃｙの偏光状態を調整する。
【０１３２】
例えば、偏光状態調整素子５１ＧＣｙは、シアン成分光Ｃｙの偏光方向を回転させない状態と、シアン成分光Ｃｙの偏光方向を９０°回転させる状態とを選択的に切り替え可能に構成された光学素子である。又は、偏光状態調整素子５１ＧＣｙは、０〜９０°の範囲内において、シアン成分光Ｃｙの偏光状態を調整する光学素子である。
【０１３３】
（黄成分光Ｙｅの上限変化量Ｙｅ）
以下において、変更例４に係る黄成分光Ｙｅの上限変化量Ｙｅについて、図２０を参照しながら説明する。図２０は、変更例４に係る上限変化量Ｙｅを説明するための図である。
【０１３４】
上述したように、黄成分光Ｙｅは、赤成分光Ｒに重畳される。従って、黄成分光Ｙｅの上限変化量Ｙｅは、赤入力信号Ｒｉｎに基づいて設定される。
【０１３５】
具体的には、ｎ番目のフレームの赤入力信号Ｒｉｎの代表値及びｎ＋１番目のフレームの赤入力信号Ｒｉｎの代表値が特定される。特定された代表値のうち、小さい方の代表値が上限変化量係数として取得される。図２０に示すように、上限変化量係数が小さいほど、上限変化量Ｙｅが増大する。なお、図２０では、横軸は、上限変化量係数を示しており、縦軸は、黄成分光Ｙｅの上限変化量Ｙｅを示している。
【０１３６】
なお、赤入力信号Ｒｉｎの代表値としては、以下に示す値を用いることができる。
【０１３７】
（１）  連続する２フレームのそれぞれにおける赤入力信号Ｒｉｎの最大値
（２）  連続する２フレームのそれぞれにおける赤入力信号Ｒｉｎの平均値
（３）  連続する２フレームのそれぞれにおける赤入力信号Ｒｉｎの分散値
（シアン成分光Ｃｙの上限変化量Ｃｙ）
以下において、変更例４に係るシアン成分光Ｃｙの上限変化量Ｃｙについて、図２１を参照しながら説明する。図２１は、変更例４に係る上限変化量Ｃｙを説明するための図である。
【０１３８】
上述したように、シアン成分光Ｃｙは、緑成分光Ｇに重畳される。従って、シアン成分光Ｃｙの上限変化量Ｃｙは、緑入力信号Ｇｉｎの変化量（Ｇｉｎ変化量）に基づいて設定される。
【０１３９】
具体的には、ｎ番目のフレームの緑入力信号Ｇｉｎの代表値及びｎ＋１番目のフレームの緑入力信号Ｇｉｎの代表値が特定される。特定された代表値のうち、小さい方の代表値が上限変化量係数として取得される。図２１に示すように、上限変化量係数が小さいほど、上限変化量Ｃｙが増大する。なお、図２１では、横軸は、上限変化量係数を示しており、縦軸は、シアン成分光Ｃｙの上限変化量Ｃｙを示している。
【０１４０】
なお、緑入力信号Ｇｉｎの代表値としては、以下に示す値を用いることができる。
【０１４１】
（１）  連続する２フレームのそれぞれにおける緑入力信号Ｇｉｎの最大値
（２）  連続する２フレームのそれぞれにおける緑入力信号Ｇｉｎの平均値
（３）  連続する２フレームのそれぞれにおける緑入力信号Ｇｉｎの分散値
（作用及び効果）
変更例４では、赤成分光Ｒ、緑成分光Ｇ及び青成分光Ｂに加えて、黄成分光Ｙｅ及びシアン成分光Ｃｙを利用する場合であっても、第１実施形態と同様の効果を得ることができる。
【０１４２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１４３】
例えば、光変調素子の一例として、透過型の液晶パネル５０について説明したが、光変調素子は、これに限定されるものではない。光変調素子は、反射型の液晶パネルやＤＭＤ（Ｄｉｇｉｔａｌ  Ｍｉｃｒｏｍｉｒｒｏｒ  Ｄｅｖｉｃｅ）であってもよい。
【０１４４】
偏光状態調整素子５１Ｙｅが複数の画素を有しており、黄成分光Ｙｅの重畳量が画素毎に制御されるケースでは、制御対象の画素と同座標を有する画素を用いて、制御対象の画素の上限変化量が設定されてもよい。同様に、黄成分光Ｙｅの重畳量がブロック毎に制御されるケースでは、制御対象のブロックと同座標を有する画素を用いて、制御対象のブロックの上限変化量が設定されてもよい。
【０１４５】
黄成分光Ｙｅが重畳される光路は、黄成分光Ｙｅの補色光（青成分光Ｂ）とは異なる重畳成分光の光路であればよい。同様に、シアン成分光Ｃｙが重畳される光路は、シアン成分光Ｃｙの補色光（赤成分光Ｒ）とは異なる重畳成分光の光路であればよい。
【図面の簡単な説明】
【０１４６】
【図１】第１実施形態に係る投写型映像表示装置１００を示す図である。
【図２】第１実施形態に係る偏光状態調整素子５１Ｙｅの近傍を示す図である。
【図３】第１実施形態に係る偏光状態調整素子５１Ｙｅの近傍を示す図である。
【図４】第１実施形態に係る制御ユニット２００を示すブロック図である。
【図５】第１実施形態に係る黄成分光Ｙｅの重畳量の算出を説明するための図である。
【図６】第１実施形態に係る黄成分光Ｙｅの重畳量の算出を説明するための図である。
【図７】第１実施形態に係る黄成分光Ｙｅの重畳量の算出を説明するための図である。
【図８】第１実施形態に係る黄成分光Ｙｅの重畳量の算出を説明するための図である。
【図９】第１実施形態に係る黄成分光Ｙｅの上限変化量を説明するための図である。
【図１０】比較例に係るフレームの推移を示す図である。
【図１１】実施例１に係るフレームの推移を示す図である。
【図１２】実施例２に係るフレームの推移を示す図である。
【図１３】変更例１に係る制御ユニット２００を示すブロック図である。
【図１４】変更例１に係る黄成分光Ｙｅの上限変化量を説明するための図である。
【図１５】変更例２に係る制御ユニット２００を示すブロック図である。
【図１６】変更例２に係る黄成分光Ｙｅの上限変化量を説明するための図である。
【図１７】変更例２に係る黄成分光Ｙｅの上限変化量を説明するための図である。
【図１８】変更例３に係る制御ユニット２００を示すブロック図である。
【図１９】変更例４に係る投写型映像表示装置１００を示す図である。
【図２０】変更例４に係る黄成分光Ｙｅの上限変化量を説明するための図である。
【図２１】変更例４に係るシアン成分光Ｃｙの上限変化量を説明するための図である。
【符号の説明】
【０１４７】
１０・・・光源、２０・・・ＵＶ／ＩＲカットフィルタ、３０・・・フライアイレンズユニット、４０・・・ＰＢＳアレイ、５０・・・液晶パネル、５１・・・偏光状態調整素子、５２、５３・・・偏光板、６０・・・クロスダイクロイックキューブ、７１〜７６・・・ミラー、８１〜８５・・・レンズ、１００・・・投写型映像表示装置、１１０・・・投写レンズユニット、１２０・・・照明ユニット、２００・・・制御ユニット、２１０・・・信号受付部、２２０・・・Ｙｅ重畳量算出部、２３０・・・Ｙｅ補正部、２４０・・・ＲＧＢ補正部、２５０・・・色差算出部、２６０・・・ＹＵＶ変換部、２７０・・・成分解析部、２８０・・・偏光板負荷算出部
【図１】
2010156833.tif 000008
【図２】
2010156833.tif 000009
【図３】
2010156833.tif 000010
【図４】
2010156833.tif 000011
【図５】
2010156833.tif 000012
【図６】
2010156833.tif 000013
【図７】
2010156833.tif 000014
【図８】
2010156833.tif 000015
【図９】
2010156833.tif 000016
【図１０】
2010156833.tif 000017
【図１１】
2010156833.tif 000018
【図１２】
2010156833.tif 000019
【図１３】
2010156833.tif 000020
【図１４】
2010156833.tif 000021
【図１５】
2010156833.tif 000022
【図１６】
2010156833.tif 000023
【図１７】
2010156833.tif 000024
【図１８】
2010156833.tif 000025
【図１９】
2010156833.tif 000026
【図２０】
2010156833.tif 000027
【図２１】
2010156833.tif 000028